(57)【特許請求の範囲】
【請求項１】
それぞれスタート入力端子に接続された入力配線と、出力端子に接続された出力配線とを含み、前記入力配線を経由して入力を受けたスタート信号をシフトさせ、前記出力配線を通じて出力する複数のステージと、
前記複数のステージと同一な回路構成を有し、前記複数のステージと共に同一な基板上に形成されているダミーステージと、
第１ダミー配線と重畳されたそれぞれの出力との間の第１絶縁層を介して、前記ダミーステージのそれぞれの出力及び前記複数のステージのそれぞれの出力と部分的に重畳する前記第１ダミー配線と、
第２ダミー配線と重畳されたそれぞれの入力との間の第２絶縁層を介して、前記ダミーステージのそれぞれの入力及び前記複数のステージのそれぞれの入力と部分的に重畳する前記第２ダミー配線と、
第３絶縁層を介して前記ダミーステージの出力及び前記複数のステージのそれぞれの入力と部分的に重畳して、レーザ照射により、前記ダミーステージの出力及び前記ｋ＋１番目のステージの入力配線と接続される第３ダミー配線とを備え、
前記複数のステージの入力配線のそれぞれは、その前段のステージの出力配線に接続され、前記複数のステージ、前記ダミーステージ及び前記ダミー配線は同一な基板上に形成され、
レーザ照射により、前記ｋ番目のステージの出力配線と前記ｋ＋１番目のステージの入力配線との交差点と、前記ｋ番目のステージの出力端子との間が断線され、
各ステージの出力配線は次のステージの入力配線に接続され、
前記第１ダミー配線は、レーザ照射により、前記ダミーステージの出力配線及び前記ｋ番目のステージの出力配線と電気的に接続され、
前記第２ダミー配線は、レーザ照射により、前記ダミーステージの入力配線及び前記ｋ番目のステージの入力配線と電気的に接続されることを特徴とするゲート駆動回路。
【請求項２】
前記ダミーステージの出力配線に接続された第１配線と、前記ｋ＋１番目のステージの入力配線に接続された第２配線とを更に備え、前記第３ダミー配線は、少なくとも一部が前記絶縁層を介して前記第１配線と前記第２配線とに重畳され、レーザ照射により、前記第１配線及び前記第２配線に電気的に接続されることを特徴とする請求項１に記載のゲート駆動回路。
【請求項３】
それぞれスタート入力端子に接続された入力配線と、出力端子に接続された出力配線とを含み、前記入力配線を経由して入力を受けたスタート信号をシフトさせ、前記出力配線を通じて出力する複数のステージと、
前記複数のステージと同一な回路構成を有し、前記複数のステージと共に同一な基板上に形成されているダミーステージと、
前記複数のステージのうちｋ番目のステージの出力配線と前記ダミーステージの出力配線とを接続できる第１ダミー配線と、
前記ｋ番目のステージの入力配線と前記ダミーステージの入力配線とを接続できる第２ダミー配線とを備え、
前記複数のステージの入力配線のそれぞれは、その前段のステージの出力配線に接続され、前記複数のステージ、前記ダミーステージ及び前記第１及び第２ダミー配線は同一な基板上に形成されているゲート駆動回路で、前記ゲート駆動回路をリペアする方法において、
前記ダミーステージの出力配線と前記第１ダミー配線とを電気的に接続させる段階と、
前記第１ダミー配線と前記複数のステージのうちｋ番目のステージの出力配線とを電気的に接続させる段階と、
前記ダミーステージの入力配線と前記第２ダミー配線とを電気的に接続させる段階と、
前記第２ダミー配線と前記複数のステージのうちｋ番目のステージの入力配線とを電気的に接続させる段階と、
前記ダミーステージの出力端子と第３ダミー配線とを電気的に接続させる段階と、
前記第３ダミー配線と、前記複数のステージのうちｋ＋１番目のステージの入力配線とを電気的に接続させる段階と、
前記ｋ番目のステージの出力配線と前記ｋ＋１番目のステージの入力配線との交差点と、前記ｋ番目のステージの出力端子との間を断線させる段階とを含み、
前記ゲート駆動回路は、第３絶縁層を介して前記ダミーステージの出力及び前記複数のステージのそれぞれの入力と部分的に重畳して、レーザ照射により、前記ダミーステージの出力及び前記ｋ＋１番目のステージの入力配線と接続される前記第３ダミー配線を含み、
各ステージの出力配線は次のステージの入力配線に接続されることを特徴とするゲート駆動回路のリペア方法。
【請求項４】
相互交差する複数のゲートライン及び複数のデータラインと、
前記ゲートラインとデータラインとの交差部に形成された薄膜トランジスタと、
それぞれスタート入力端子に接続された入力配線と出力端子に接続された出力配線とを含み、前記入力配線を経由して入力を受けたスタート信号をシフトさせ、前記出力配線を通じて出力する複数のステージと、前記複数のステージと同一な回路構成を有し、前記複数のステージと共に同一な基板上に形成されるダミーステージと、第１ダミー配線と重畳されたそれぞれの出力との間の第１絶縁層を介して、前記ダミーステージのそれぞれの出力及び前記複数のステージのそれぞれの出力と部分的に重畳する前記第１ダミー配線と、第２ダミー配線と重畳されたそれぞれの入力との間の第２絶縁層を介して、前記ダミーステージのそれぞれの入力及び前記複数のステージのそれぞれの入力と部分的に重畳する前記第２ダミー配線とを含み、前記複数のステージの入力配線のそれぞれは、その前段のステージの出力配線に接続され、前記ゲートラインにスキャンパルスを供給するゲート駆動回路と、
前記データラインにデータ電圧を供給するデータ駆動回路とを備え、
前記複数のステージ、前記ダミーステージ及び前記第１及び第２ダミー配線は同一な基板上に形成され、
前記ゲート駆動回路は、第３絶縁層を介して前記ダミーステージの出力及び前記複数のステージのそれぞれの入力と部分的に重畳して、レーザ照射により、前記ダミーステージの出力及び前記ｋ＋１番目のステージの入力配線と接続される第３ダミー配線とをさらに含み、
レーザ照射により、前記ｋ番目のステージの出力配線と前記ｋ＋１番目のステージの入力配線との交差点と、前記ｋ番目のステージの出力端子との間が断線され、
各ステージの出力配線は次のステージの入力配線に接続され、
前記第１ダミー配線は、レーザ照射により、前記ダミーステージの出力配線及び前記ｋ番目のステージの出力配線と電気的に接続され、
前記第２ダミー配線は、レーザ照射により、前記ダミーステージの入力配線及び前記ｋ番目のステージの入力配線と電気的に接続されることを特徴とする液晶表示装置。
【請求項５】
前記ダミーステージの出力配線に接続された第１配線と、前記ｋ＋１番目のステージの入力配線に接続された第２配線とを更に備え、前記第３ダミー配線は、少なくとも一部が前記絶縁層を介して前記第１配線と前記第２配線とに重畳され、レーザ照射により、前記第１配線及び前記第２配線に電気的に接続されることを特徴とする請求項４に記載の液晶表示装置。
【発明の詳細な説明】
【技術分野】
【０００１】
本発明は液晶表示装置に関し、特に、不良率を低減させることのできるゲート駆動回路と、そのリペア方法及びそれを用いる液晶表示装置に関する。
【背景技術】
【０００２】
最近、ゲート駆動回路を液晶パネルに内蔵することにより、費用の節減及び軽薄化することに有利なＧＩＰ（Ｇａｔｅ  Ｉｎ  Ｐａｎｅｌ）型の液晶表示装置に対する関心が高まっている。
【０００３】
図１を参照すると、従来のＧＩＰ型の液晶表示装置は、複数のゲートラインＧ１〜Ｇｎと複数のデータラインＤ１〜Ｄｍとが交差し、その交差部に形成されて液晶セルＣｌｃを駆動する薄膜トランジスタ（ＴＦＴ）及びゲートラインＧ１〜Ｇｎにスキャンパルスを順次供給するゲート駆動回路２を含む液晶パネル３と、液晶パネル３のデータラインＤ１〜Ｄｍにデータ電圧を供給するデータ駆動回路１とを備える。
【０００４】
液晶パネル３は、２枚のアレイ基板の間に液晶分子が注入される。この液晶パネル３の下部アレイ基板上には、ゲートラインＧ１〜ＧｎとデータラインＤ１〜Ｄｍとが相互交差するように形成される。ゲートラインＧ１〜ＧｎとデータラインＤ１〜Ｄｍとの交差部に形成されたＴＦＴては、ゲートラインＧ１〜Ｇｎからのスキャンパルスに応じて、データラインＤ１〜Ｄｍを経由して供給されるデータ電圧を液晶セルＣｌｃに供給する。このために、ＴＦＴのゲート電極はゲートラインＧ１〜Ｇｎに接続され、ソース電極はデータラインＤ１〜Ｄｍに接続され、ドレイン電極は液晶セルＣｌｃの画素電極に接続される。また、この下部アレイ基板上には、１水平周期毎にスタート信号を順次シフトさせてスキャンパルスを発生するゲート駆動回路から構成され、ゲートラインＧ１〜Ｇｎにスキャンパルスを順次供給するゲート駆動回路２が形成される。このゲート駆動回路２は、下部アレイ基板上に形成される他の素子と共に形成される。液晶パネル３の上部アレイ基板上には、未図示であるが、ブラックマトリクス、カラーフィルター及び共通電極が形成される。そして、液晶パネル３の上部アレイ基板と下部アレイ基板上には光軸が直交する偏光板が付けられ、液晶と接する内側面上に、液晶のフリーチルト角を設定するための配向膜が形成される。また、液晶パネル３の液晶セルＣｌｃのそれぞれには、ストレージキャパシタＣｓｔが形成される。ストレージキャパシタＣｓｔは、液晶セルＣｌｃの画素電極と前段のゲートラインとの間に形成されるか、液晶セルＣｌｃの画素電極と未図示の共通電極ラインとの間に形成され、液晶セルＣｌｃの電圧を一定に維持させる。
【０００５】
データ駆動回路１は、ゲート駆動回路、ラッチ、ディジタル・アナログ変換器及び出力バッファをそれぞれ含む複数のデータドライブ集積回路から構成される。データドライブ集積回路は、ＴＣＰを用いて液晶パネル３の下部アレイ基板上に付けられるか、チップオンガラス（Ｃｈｉｐ  Ｏｎ  Ｇｌａｓｓ）方式等で液晶パネル３の下部アレイ基板上に直接実装される。このデータ駆動回路１は、ディジタルビデオデータをラッチし、そのディジタルビデオデータをアナログガンマ補償電圧に変換してデータラインＤ１〜Ｄｍに供給する。
【０００６】
図２は、図１のゲート駆動回路２の回路構成を示す図面である。
【０００７】
図２を参照すると、ゲート駆動回路２は、従属的に接続されたｎ個のステージＳ１〜Ｓｎを備える。第１ないし第ｎステージＳ１〜Ｓｎのそれぞれは、スタート入力端子ＴＩ１〜ＴＩｎに接続された入力配線ＬＩ１〜ＬＩｎ及び出力端子Ｔ０１〜Ｔ０ｎに接続された出力配線Ｌ０１〜Ｌ０ｎを含み、入力配線ＬＩ１〜ＬＩｎを経由して入力を受けたスタート信号をシフトさせ、出力配線Ｌ０１〜Ｌ０ｎを通じて出力する。このゲート駆動回路の第２ないし第ｎステージの入力配線ＬＩ１〜ＬＩｎのそれぞれは、その前のステージの出力配線Ｌ０１〜Ｌ０ｎ−１に接続される。このようなゲート駆動回路において、第１ステージＳ１には、スタート信号としてスタートパルスＶｓｔが入力され、第２ないし第ｎステージＳ２〜Ｓｎには、スタート信号として、その前段の出力信号が入力される。また、各ステージＳ１〜Ｓｎは同一な回路構成を有し、クロック信号に応じて、スタートパルスＶｓｔまたはその前段の出力信号をシフトさせることにより、１水平期間のパルス幅を有するスキャンパルスを発生する。
【０００８】
ところで、このようなゲート駆動回路２において、何れか１つのステージに異物質、パターン異常等の原因によって動作に異常が発生した場合、即ち、第１ないし第ｎゲートラインＧ１〜Ｇｎのうち、ｋ番目のゲートラインにスキャンパルスを供給するステージが非正常に動作する場合、図３（ａ）に示すように、液晶パネルの表示画面５上のｋ番目の水平ライン７に対して駆動不良が発生するか、または、図３（ｂ）に示すように、液晶パネルの表示画面５上のｋ番目の水平ライン７以下の全ての領域に対して駆動不良が発生し得る。
【０００９】
このように、ゲート駆動回路２の不良は、ＧＩＰ型の液晶表示装置においては、ゲート駆動回路２のみの不良ではなく、液晶パネル３の全体の不良に繋がり、多くの費用の損失が発生される。
【発明の開示】
【発明が解決しようとする課題】
【００１０】
従って、本発明の目的は、不良率を低減させることのできるゲート駆動回路と、そのリペア方法及びそれを用いる液晶表示装置を提供することである。
【課題を解決するための手段】
【００１１】
前記目的の達成のため、本発明の実施の形態に係るゲート駆動回路は、それぞれスタート入力端子に接続された入力配線と出力端子に接続された出力配線とを含み、前記入力配線を経由して入力を受けたスタート信号をシフトさせ、前記出力配線を通じて出力する複数のステージと、前記複数のステージと同一な回路構成を有し、前記複数のステージと共に同一な基板上に形成されるダミーステージと、前記複数のステージのうちｋ番目のステージの出力配線と前記ダミーステージの出力配線とを接続できる第１ダミー配線と、前記ｋ番目のステージの入力配線と前記ダミーステージの入力配線とを接続できる第２ダミー配線と、前記ダミーステージの出力配線と前記複数のステージのうちｋ＋１番目のステージの入力配線とを接続できる第３ダミー配線とを備え、前記複数のステージの入力配線のそれぞれは、その前段のステージの出力配線に接続され、前記複数のステージ、前記ダミーステージ及び前記第１、第２及び第３ダミー配線は同一な基板上に形成される。
【００１２】
前記ゲート駆動回路において、前記第１ダミー配線は、少なくとも一部が前記絶縁層を介して前記ダミーステージの出力配線と前記複数のステージのそれぞれの出力配線とに重畳され、レーザ照射により、前記ダミーステージの出力配線と前記ｋ番目のステージの出力配線とを電気的に接続させる。
【００１３】
前記ゲート駆動回路において、前記ｋ番目のステージの出力配線は、レーザ照射により、前記ｋ＋１番目のステージの入力配線との交差点と、前記ｋ番目のステージの出力端子との間が断線される。
【００１４】
前記ゲート駆動回路において、前記第２ダミー配線は、少なくとも一部が前記絶縁層を介して前記ダミーステージの入力配線と前記複数のステージのそれぞれの入力配線とに重畳され、レーザ照射により、前記ダミーステージの入力配線と前記ｋ番目のステージの入力配線とを電気的に接続させる。
【００１５】
前記ゲート駆動回路において、前記第３ダミー配線は、少なくとも一部が前記絶縁層を介して前記ダミーステージの出力配線と前記複数のステージのそれぞれの入力配線とに重畳され、レーザ照射により、前記ダミーステージの出力配線と前記ｋ＋１番目のステージの入力配線とを電気的に接続させる。
【００１６】
前記ゲート駆動回路において、前記ダミーステージの出力配線に接続された第１配線と、前記ｋ＋１番目のステージの入力配線に接続された第２配線とを更に備え、前記第３ダミー配線は、少なくとも一部が前記絶縁層を介して前記第１配線及び前記第２配線と重畳され、レーザ照射により、前記第１配線及び前記第２配線に電気的に接続される。
【００１７】
本発明における液晶表示パネルは、相互交差する複数のゲートライン及び複数のデータラインと、前記ゲートラインとデータラインの交差部に形成された薄膜トランジスタと、それぞれスタート入力端子に接続された入力配線と出力端子に接続された出力配線とを含み、前記入力配線を経由して入力を受けたスタート信号をシフトさせ、前記出力配線を通じて出力する複数のステージと、前記複数のステージと同一な回路構成を有し、前記複数のステージと共に同一な基板上に形成されるダミーステージと、前記複数のステージのうちｋ番目のステージの出力配線と前記ダミーステージの出力配線とを接続できる第１ダミー配線と、前記ｋ番目のステージの入力配線と前記ダミーステージの入力配線とを接続できる第２ダミー配線と、前記ダミーステージの出力配線と前記複数のステージのうちｋ＋１番目のステージの入力配線とを接続できる第３ダミー配線とを含み、前記複数のステージの入力配線のそれぞれはその前のステージの出力配線に接続され、前記ゲートラインにスキャンパルスを供給するゲート駆動回路と、前記データラインにデータ電圧を供給するデータ駆動回路とを備え、前記ゲート駆動回路は、前記複数のステージ、前記ダミーステージ及び前記ダミー配線が同一な基板上に形成されている。
【００１８】
前記液晶表示装置において、前記第１ダミー配線は、少なくとも一部が前記絶縁層を介して前記ダミーステージの出力配線と前記複数のステージのそれぞれの出力配線とに重畳され、レーザ照射により、前記ダミーステージの出力配線と前記ｋ番目のステージの出力配線とを電気的に接続される。
【００１９】
前記液晶表示装置において、前記ｋ番目のステージの出力配線は、レーザ照射により、前記ｋ＋１番目のステージの入力配線との交差点と、前記ｋ番目のステージの出力端子との間が断線される。
【００２０】
前記液晶表示装置において、前記第２ダミー配線は、少なくとも一部が前記絶縁層を介して前記ダミーステージの入力配線と前記複数のステージのそれぞれの入力配線とに重畳され、レーザ照射により、前記ダミーステージの入力配線と前記ｋ番目のステージの入力配線とを電気的に接続させる。
【００２１】
前記液晶表示装置において、前記第３ダミー配線は、少なくとも一部が前記絶縁層を介して前記ダミーステージの出力配線と前記複数のステージのそれぞれの入力配線とに重畳され、レーザ照射により、前記ダミーステージの出力配線と前記ｋ＋１番目のステージの入力配線とを電気的に接続させる。
【００２２】
本発明のゲート駆動回路のリペア方法は、それぞれスタート入力端子に接続された入力配線及び出力端子に接続された出力配線を含み、前記入力配線を経由して入力を受けたスタート信号をシフトさせ、前記出力配線を通じて出力する複数のステージと、前記複数のステージと同一な回路構成を有し、前記複数のステージと共に同一な基板上に形成されるダミーステージと、前記複数のステージのうち、ｋ番目のステージの出力配線及び前記ダミーステージの出力配線と接続できる第１ダミー配線と、前記ｋ番目のステージの入力配線及び前記ダミーステージの入力配線と接続できる第２ダミー配線と、前記ダミーステージの出力配線及び前記複数のステージのうち、ｋ＋１番目のステージの入力配線と接続できる第３ダミー配線とを備え、前記複数のステージの入力配線のそれぞれはその前のステージの出力配線に接続され、前記複数のステージ、前記ダミーステージ及び前記ダミー配線は同一な基板上に形成されるゲート駆動回路において、前記ダミーステージの出力配線と前記第１ダミー配線を電気的に接続させる段階と；前記第１ダミー配線と前記複数のステージのうち、ｋ番目のステージの出力配線を電気的に接続させる段階と；前記ダミーステージの入力配線と前記第２ダミー配線を電気的に接続させる段階と；前記第２ダミー配線と前記複数のステージのうち、ｋ番目のステージの入力配線を電気的に接続させる段階と；前記ダミーステージの出力端子と前記第３ダミー配線を電気的に接続させる段階と；前記第３ダミー配線と前記複数のステージのうち、ｋ＋１番目のステージの入力配線を電気的に接続させる段階とを含む。
【発明の効果】
【００２３】
前述のように、本発明におけるゲート駆動回路と、そのリペア方法及びそれを用いる液晶表示装置は、液晶パネル上に形成されるゲート駆動回路に含まれた複数のステージのうち、非正常に動作するステージが発生する場合、この非正常に動作するステージと代替できるダミーステージを備えてゲート駆動回路をリペアすることにより、ゲート駆動回路の不良率を低減させることが可能になるため、費用が節減されるという効果を得る。
【発明を実施するための最良の形態】
【００２４】
以下、図４ないし図７を参照して、本発明の好ましい実施の形態について説明する。
【００２５】
図４を参照すると、本発明の実施の形態における液晶表示装置は、複数のゲートラインＧ１〜Ｇｎと複数のデータラインＤ１〜Ｄｍとが交差し、その交差部に形成されて液晶セルＣｌｃを駆動するＴＦＴ及びゲートラインＧ１〜Ｇｎにスキャンパルスを順次供給するゲート駆動回路１２を含む液晶パネル１３と、液晶パネル１３のデータラインＤ１〜Ｄｍにデータ電圧を供給するデータ駆動回路１１とを備える。
【００２６】
液晶パネル１３は、２枚のアレイ基板の間に液晶分子が注入されている。この液晶パネル１３の下部アレイ基板上には、ゲートラインＧ１〜ＧｎとデータラインＤ１〜Ｄｍとが相互交差するように形成されている。ゲートラインＧ１〜ＧｎとデータラインＤ１〜Ｄｍとの交差部に形成されたＴＦＴは、ゲートラインＧ１〜Ｇｎからのスキャンパルスに応じて、データラインＤ１〜Ｄｍを経由して供給されるデータ電圧を液晶セルＣｌｃに供給する。このために、ＴＦＴのゲート電極はゲートラインＧ１〜Ｇｎに接続され、ソース電極はデータラインＤ１〜Ｄｍに接続され、ドレイン電極は液晶セルＣｌｃの画素電極に接続される。また、この下部アレイ基板上には、１水平周期毎にスタート信号を順次シフトさせてスキャンパルスを発生し、このスキャンパルスをゲートラインＧ１〜Ｇｎに順次供給するゲート駆動回路１２が形成されている。このゲート駆動回路１２は、下部アレイ基板上に形成されている他の素子と共に形成されている。液晶パネル１３の上部アレイ基板上には、未図示であるが、ブラックマトリクス、カラーフィルター及び共通電極が形成されている。そして、液晶パネル１３の上部アレイ基板と下部アレイ基板との上には光軸が直交する偏光板が付けられ、液晶と接する内側面上に、液晶のフリーチルト角を設定するための配向膜が形成される。また、液晶パネル１３の液晶セルＣｌｃのそれぞれには、ストレージキャパシタＣｓｔが形成される。ストレージキャパシタＣｓｔは、液晶セルＣｌｃの画素電極と前段のゲートラインとの間に形成されるか、液晶セルＣｌｃの画素電極と未図示の共通電極ラインとの間に形成され、液晶セルＣｌｃの電圧を一定に維持させる。
【００２７】
データ駆動回路１１は、ゲート駆動回路、ラッチ、ディジタル・アナログ変換器及び出力バッファをそれぞれ含む複数のデータドライブ集積回路から構成される。データドライブ集積回路は、ＴＣＰを用いて液晶パネル１３の下部アレイ基板上に付けられるか、チップオンガラス方式等で液晶パネル１３の下部アレイ基板上に直接実装される。このデータ駆動回路１１は、ディジタルビデオデータをラッチし、そのディジタルビデオデータをアナログガンマ補償電圧に変換してデータラインＤ１〜Ｄｍに供給する。
【００２８】
図５は、図４のゲート駆動回路１２の回路構成を示す図面である。
【００２９】
図５を参照すると、本発明におけるゲート駆動回路１２は、それぞれスタート入力端子ＴＩ１〜ＴＩｎに接続された入力配線ＬＩ１〜ＬＩｎ及び出力端子Ｔ０１〜Ｔ０ｎに接続された出力配線Ｌ０１〜Ｌ０ｎを含み、入力配線ＬＩ１〜ＬＩｎを経由して入力を受けたスタート信号をシフトさせ、出力配線Ｌ０１〜Ｌ０ｎを通じて出力する第１ないし第ｎステージＳ１〜Ｓｎと、第１ないし第ｎステージＳ１〜Ｓｎと同一な回路構成を有し、第１ないし第ｎステージＳ１〜Ｓｎと共に同一な基板上に形成されるダミーステージＳＤと、第１ないし第ｎステージＳ１〜Ｓｎのうち、ｋ番目のステージの入力配線ＬＩｋ及びダミーステージの出力配線Ｌ０と接続できる第１ダミー配線Ｌ１と、ｋ番目のステージの入力配線及びダミーステージＳＤの入力配線LIと接続できる第２ダミー配線Ｌ２と、ダミーステージＳＤの出力配線LO及び第１ないし第ｎステージＳ１〜Ｓｎのうち、ｋ＋１番目のステージの入力配線と接続できる第３ダミー配線L3とを備え、第２ないし第ｎステージＳ２〜Ｓｎの入力配線ＬＩ２〜ＬＩｎのそれぞれは、以前のステージの出力配線Ｌ０１〜Ｌ０ｎ−１に接続される。
【００３０】
第１ないし第ｎステージＳ１〜Ｓｎのそれぞれのレジスタは、それぞれスタート入力端子ＴＩ１〜ＴＩｎに接続された入力配線ＬＩ１〜ＬＩｎ及び出力端子Ｔ０１〜Ｔ０ｎに接続された出力配線Ｌ０１〜Ｌ０ｎを含み、入力配線ＬＩ１〜ＬＩｎを経由して入力を受けたスタート信号をクロック信号ＣＬＫに合わせてシフトさせ、出力配線Ｌ０１〜Ｌ０ｎを通じて出力する。第１ステージＳ１の入力配線ＬＩ１には、スタート信号としてスタートパルスＶｓｔが入力され、以前のステージの出力配線にそれぞれ接続された第２ないし第ｎステージＳ２〜Ｓｎの入力配線ＬＩ２〜ＬＩｎには、スタート信号として以前のステージの出力信号が入力される。
【００３１】
ダミーステージＳＤは、第１ないし第ｎステージＳ１〜Ｓｎと同一な回路構成を有する。即ち、ダミーステージＳＤも、スタート入力端子ＴＩに接続された入力配線ＬＩ及び出力端子Ｔ０に接続された出力配線Ｌ０を含み、入力配線ＬＩを経由してスタート信号が入力されると、このスタート信号をクロック信号ＣＬＫに合わせてシフトさせ、出力配線Ｌ０を通じて出力する。このダミーステージＳＤは、第１ないし第ｎステージＳ１〜Ｓｎと共に同一な基板上に形成される。
【００３２】
第１ダミー配線Ｌ１は、少なくとも一部が絶縁層を介して、ダミーステージＳＤの出力配線Ｌ０及び第１ないし第ｎステージＳ１〜Ｓｎの出力配線Ｌ０１〜Ｌ０ｎと重畳され、レーザ照射により、ダミーステージＳＤの出力配線Ｌ０及び第１ないし第ｎステージＳ１〜Ｓｎのうちｋ番目のステージの出力配線Ｌ０ｋと電気的に接続できるように形成される。
【００３３】
第２ダミー配線Ｌ２は、少なくとも一部が絶縁層を介して、ダミーステージＳＤの入力配線ＬＩ及び第１ないし第ｎステージＳ１〜Ｓｎの入力配線ＬＩ１〜ＬＩｎと重畳され、レーザ照射により、ダミーステージＳＤの入力配線ＬＩ及び第１ないし第ｎステージＳ１〜Ｓｎのうちｋ番目のステージの入力配線ＬＩｋと電気的に接続できるように形成される。
【００３４】
第３ダミー配線Ｌ３は、少なくとも一部が絶縁層を介して、ダミーステージＳＤの出力配線Ｌ０及び第１ないし第ｎステージＳ１〜Ｓｎの入力配線ＬＩ１〜ＬＩｎと重畳され、レーザ照射により、ダミーステージＳＤの出力配線Ｌ０及び第１ないし第ｎステージＳ１〜Ｓｎのうちｋ＋１番目のステージの入力配線ＬＩｋ＋１と電気的に接続できるように形成される。
【００３５】
このような第１ないし第ｎステージＳ１〜Ｓｎ、ダミーステージＳＤ及び第１ないし第３ダミー配線Ｌ１〜Ｌ３は、同一な基板上に形成される。
【００３６】
以下、図６を参照して、ゲート駆動回路１２のダミーステージＳＤを用いるリペア方法を説明する。
【００３７】
例えば、第２ステージが非正常に動作する場合、ダミーステージＳＤの出力ラインＬ０と第１ダミーラインＬ１との重畳部Ｐ１にレーザを照射して、ダミーステージＳＤの出力ラインＬ０と第１ダミーラインＬ１とを電気的に接続させ、第２ステージＳ２の出力ラインＬ０２と第１ダミーラインＬ１との重畳部Ｐ２にレーザを照射して、第２ステージＳ２の出力ラインＬ０２と第１ダミーラインＬ１とを電気的に接続させる。即ち、ダミーステージＳＤの出力ラインＬ０と第２ステージＳ２の出力ラインＬ０２とを、第１ダミーラインＬ１を経由して電気的に接続させる。そして、ダミーステージＳＤの入力ラインLIと第２ダミーラインＬ２との重畳部Ｐ３にレーザを照射して、ダミーステージＳＤの入力ラインLIと第２ダミーラインＬ２とを電気的に接続させ、第２ステージＳ２の入力ラインLI２と第２ダミーラインＬ２との重畳部Ｐ４にレーザを照射して、第２ステージＳ２の入力ラインLI２と第２ダミーラインＬ２とを電気的に接続させる。即ち、ダミーステージＳＤの入力ラインＬＩと第２ステージＳ２の入力ラインＬＩ２とを、第２ダミーラインＬ２を経由して電気的に接続させる。そして、ダミーステージＳＤの出力ラインＬ０と第３ダミーラインＬ３との重畳部Ｐ６にレーザを照射して、ダミーステージＳＤの出力ラインＬ０と第３ダミーラインＬ３とを電気的に接続させ、第３ステージＳ３の入力ラインＬＩ３と第３ダミーラインＬ３との重畳部Ｐ７にレーザを照射して、第３ステージＳ３の入力ラインＬＩ３と第３ダミーラインＬ３とを電気的に接続させる。即ち、ダミーステージＳＤの出力ラインＬ０と第３ステージＳ３の入力ラインＬＩ３とを、第３ダミーラインＬ３を経由して電気的に接続させる。
【００３８】
また、第２ステージＳ２から不要な出力が発生することを防ぐために、第３ステージＳ３の入力ラインＬＩ３と第２ステージの出力ラインＬ０２との交差点Ｎ２と、第２ステージＳ２の出力端子Ｔ０２との間の支点Ｐ５にレーザを照射して断線させる。
【００３９】
尚、このゲート駆動回路１２は、図７に示すように、前述のゲート駆動回路１２の回路構成及びそのリペア方法から、第３ダミーラインＬ３を省略した回路構成及びそのリペア方法も可能である。  
【図面の簡単な説明】
【００４０】
【図１】従来の液晶表示装置を示す図面である。
【図２】図１のゲート駆動回路の回路構成を示す図面である。
【図３】図１の液晶パネルの表示画面上の駆動不良を示す図面である。
【図４】本発明の実施の形態における液晶表示装置を示す図面である。
【図５】図４のゲート駆動回路の回路構成を示す図面である。
【図６】図５のゲート駆動回路のリペア方法を示す図面である。
【図７】図５のゲート駆動回路の他の回路構成を示す図面である。
【符号の説明】
【００４１】
１、１１：データ駆動回路            
２、１２：ゲート駆動回路
３、１３：液晶表示パネル            
Ｇ１、Ｇ２、…、Ｇｎ：ゲートライン
Ｄ１、Ｄ２、…、Ｄｍ：データライン  
Ｓ１、Ｓ２、…、Ｓｎ：ステージ
ＴＩ１〜 ＴＩｎ：スタート入力端子   
Ｔ０１〜 Ｔ０ｎ：出力端子
ＬＩ１〜 ＬＩｎ：入力配線           
Ｌ０１〜 Ｌ０ｎ：出力配線
Ｌ１〜 Ｌ３：ダミー配線
【図１】
0004700592.tif 000002
【図２】
0004700592.tif 000003
【図４】
0004700592.tif 000004
【図５】
0004700592.tif 000005
【図６】
0004700592.tif 000006
【図７】
0004700592.tif 000007
【図３】
0004700592.tif 000008